(57)【特許請求の範囲】
【請求項１】
流体を収容可能な容器であって、
前記流体が収容される容器体に設けられ、該容器体の内部と該容器体の外部とを連通する連通穴と、
前記連通穴に当接して該連通穴を閉じるとともに、前記容器体の外側に向かって該連通穴から離間可能に設けられた蓋部材と、
前記容器体の外側から該容器体に当接するとともに、該当接した箇所を軸にして、前記蓋部材が離間する方向と交差する方向を軸とする回転が可能な回転部材と
を備え、
前記蓋部材は、前記回転の軸に対して前記回転部材の外縁よりも近い位置で該回転部材に接続されて、該回転部材の回転に連動して前記離間される蓋部材であり、
前記回転部材は、前記蓋部材が前記連通穴から離間された後に、前記容器体に前記当接した箇所を、該容器体から離間可能に設けられた回転部材である容器。
【請求項２】
請求項１に記載の容器であって、
前記容器体に接続され、該容器体から離れる方向への前記回転部材の移動を規制する規制部材を備え、
前記回転部材は、前記規制部材に当接して該当接した箇所を軸にして、前記蓋部材が前記離間される際とは逆向きの回転が可能な回転部材であり、
前記蓋部材は、前記逆向きの回転の軸に対して前記回転部材の外縁よりも近い位置で該回転部材に接続されて、該回転部材の該逆向きの回転に連動して、前記容器体の外側から前記連通穴に当接する蓋部材である容器。
【請求項３】
流体を収容する容器の開口部を覆う蓋であって、
前記開口部を覆う基盤部と、
前記基盤部に設けられ、前記容器の内部と該容器の外部とを連通する連通穴と、
前記連通穴に当接して該連通穴を閉じるとともに、前記容器の外側に向かって該連通穴から離間可能に設けられた蓋部材と、
前記容器の外側から前記基盤部に当接するとともに、該当接した箇所を軸にして、前記蓋部材が離間する方向と交差する方向を軸とする回転が可能な回転部材と
を備え、
前記蓋部材は、前記回転の軸に対して前記回転部材の外縁よりも近い位置で該回転部材に接続されて、該回転部材の回転に連動して前記離間される蓋部材であり、
前記回転部材は、前記蓋部材が前記連通穴から離間された後に、前記基盤部に前記当接した箇所を、該基盤部から離間可能に設けられた回転部材である蓋。
【請求項４】
請求項３に記載の蓋であって、
前記基盤部に接続され、該基盤部から離れる方向への前記回転部材の移動を規制する規制部材を備え、
前記回転部材は、前記規制部材に当接して該当接した箇所を軸にして、前記蓋部材が前記離間される際とは逆向きの回転が可能な回転部材であり、
前記蓋部材は、前記逆向きの回転の軸に対して前記回転部材の外縁よりも近い位置で該回転部材に接続されて、該回転部材の該逆向きの回転に連動して、前記容器の外側から前記連通穴に当接する蓋部材である蓋。
【発明の詳細な説明】
【技術分野】
【０００１】
本発明は、蓋を備えた容器および容器の蓋に関する。
【背景技術】
【０００２】
液体や粉体あるいは気体などの流体を収容する容器には、種々のものが知られている。例えば、化学薬品を保管しておくためのビンや、米や塩や砂糖などの食品を保存しておくための容器や、飲料水などを保存しておく容器などがある。通常、こうした容器には蓋が設けられており、蓋を開閉することで、容器内の流体を取り出したり、容器内に流体を入れたり、あるいは容器を密閉して流体を保存することが可能である。このような蓋としては、ネジ機構が設けられたいわゆるスクリュー方式の蓋が広く用いられており、ネジ機構によって蓋を閉めたり開けたりすることが可能である。また、スクリュー方式の蓋では、一方の手で容器を押さえた状態でもう一方の手で蓋を回すなど、両手を使って蓋を開けなければならない等の不便な点がある。こうした点に鑑みて、蓋を容器に押し込んだり容器から引き抜くだけで容易に開閉できるようにした容器も存在している（例えば、特許文献１）。
【先行技術文献】
【特許文献】
【０００３】
【特許文献１】特開２００６−１７６１７０号公報
【発明の概要】
【発明が解決しようとする課題】
【０００４】
しかし、こうした蓋を押し付けて閉めるタイプの容器では、蓋を固く閉めた場合に、蓋が容器に固く固定されることから、蓋を開けることが困難になってしまうという問題があった。かといって、蓋を簡単に開けられる程度に閉めたのでは、容器の密閉性を十分に確保することが困難となって、容器の中身が流出したり外気が混入するなどの虞が生じる。もちろん、ペンチ等の工具等を用いて蓋を引き抜けば、固く閉めた蓋を開けることは可能であるが、これでは蓋を開けるたびに工具が必要になるので、簡単に開閉できるというこうしたタイプの蓋の利点が損なわれてしまう。
【０００５】
この発明は、上述した課題を解決するためになされたものであり、蓋を固く閉めて密閉性を高めた場合でも、蓋を容易に開けることが可能な容器および容器の蓋を実現可能とする技術の提供を目的とする。
【課題を解決するための手段】
【０００６】
上述した課題の少なくとも一部を解決するために、本発明の容器は次の構成を採用した。すなわち、
流体を収容可能な容器であって、
前記流体が収容される容器体に設けられ、該容器体の内部と該容器体の外部とを連通する連通穴と、
前記連通穴に当接して該連通穴を閉じるとともに、前記容器体の外側に向かって該連通穴から離間可能に設けられた蓋部材と、
前記容器体の外側から該容器体に当接するとともに、該当接した箇所を軸にして、前記蓋部材が離間する方向と交差する方向を軸とする回転が可能な回転部材と
を備え、
前記蓋部材は、前記回転の軸に対して前記回転部材の外縁よりも近い位置で該回転部材に接続されて、該回転部材の回転に連動して前記離間される蓋部材であり、
前記回転部材は、前記蓋部材が前記連通穴から離間された後に、前記容器体に前記当接した箇所を、該容器体から離間可能に設けられた回転部材であることを要旨とする。
【０００７】
かかる本発明の容器では、容器の連通穴に蓋部材を当接して連通穴を閉じることが可能であるとともに、この蓋部材は連通穴から離間可能に設けられている。また、蓋部材の離間方向と交差する方向を軸にして回転可能に設けられた回転部材を備えている。そして、回転の軸に対して回転部材の外縁よりも近い位置で蓋部材が回転部材に接続され、回転部材の回転に連動して蓋部材が動くことで、蓋部材が連通穴から離間する。
【０００８】
こうすると、蓋部材が、回転部材の外縁よりも軸から近い位置で回転部材に接続されることから、蓋部材を連通穴から強い力で離間させることが可能となる。すなわち、回転部材の外縁に力を印加して回転部材を回転させる場合、この際の力学的な仕事は、外縁に印加した力（Ｆ１）と、外縁の移動距離（Ｓ１）との積である。一方、この回転部材の回転に連動して、回転部材に接続された蓋部材が離間されるが、この蓋部材が離間される際の仕事は、蓋部材を離間させる力（Ｆ２）と、蓋部材を離間させた距離（Ｓ２）との積である。そして、これら２つの仕事はほぼ等しい（Ｆ１×Ｓ１＝Ｆ２×Ｓ２）。ここで、力を印加した回転部材の外縁よりも、蓋部材が接続された箇所の方が回転の軸に近ければ、回転部材の回転に起因して蓋部材が離間する距離（Ｓ２）を、力を印加した回転部材の外縁の移動距離（Ｓ１）よりも短くすることができる。すると、上述した「Ｆ１×Ｓ１＝Ｆ２×Ｓ２」の関係から、「Ｓ２」が「Ｓ１」よりも小さくなる分だけ、「Ｆ２」が「Ｆ１」よりも大きくなる。すなわち、回転部材の外縁に印加した力（Ｆ１）よりも強い力（Ｆ２）で蓋部材を離間させることが可能となる。このように、回転部材を設け、回転軸から蓋部材までの距離を短くすることで強い力を発生させてやれば、蓋部材を固く閉めて容器の密閉性を高めた場合でも、回転部材を回転させることで蓋部材を強い力で容易に離間させることが可能となる。
【０００９】
尚、「回転の軸に対して前記回転部材の外縁よりも近い位置」とは、回転部材の外縁の全ての位置よりも近い位置である必要はなく、回転部材の外縁のいずれかの箇所よりも近い位置であればよい。蓋部材が接続される位置よりも回転の軸から遠い箇所が回転部材に一箇所でもあれば、その箇所に力を印加することで、印加した力よりも強い力で蓋部材を離間することができるので、このような場合も蓋部材を強い力で開けることが可能である。
【００１０】
また、蓋部材は、連通穴から離間される際に回転部材に接続されればよく、回転部材に常に接続されている必要は必ずしもない。例えば、蓋部材を連通穴に当接した状態では蓋部材が回転部材と離れており、蓋部材を連通穴から離間する際に回転部材と蓋部材とが接続されるものとしてもよい。連通穴から離間する際に蓋部材が回転部材に接続されていれば、回転部材の回転に連動して蓋部材を連通穴から離間することが可能である。
【００１１】
また、蓋部材は、回転部材の回転に連動して連通穴から離間する蓋部材であればよく、蓋部材が連通穴に当接する際の態様は、どのようなものでもよい。例えば、連通穴に押し付けられるタイプの蓋部材でもよい。あるいは、蓋部材が連通穴に当接する際にはネジ機構によって当節するが、連通穴から離間する際には、回転部材の回転によって離間するものとしてもよい。いずれのタイプの蓋部材であっても、回転部材の回転によって蓋部材を強い力で離間することが可能である。
【００１２】
また、上述した本発明の容器では、回転の軸に対して回転部材の外縁よりも近い位置で蓋部材が回転部材に接続されるとともに、蓋部材が離間される際とは逆向きに回転部材が回転することで、蓋部材を連通穴に押し付けるものとしてもよい。
【００１３】
上述した様に、回転の軸に対して回転部材の外縁よりも近い位置で蓋部材を接続すれば、回転部材の外縁に印加した力よりも強い力を蓋部材に印加することができる。そこで、この力によって蓋部材を連通穴に押し付けてやれば、蓋部材を強い力で連通穴に押し付けることができるので、連通穴をより確実に閉じて容器の密閉性を向上させることが可能となる。こうすれば、蓋部材をしっかりと閉じる操作と、しっかりと閉じた蓋部材を開ける操作との両方について回転部材に力を加えるだけで容易に行うことが可能となるので、より好適である。
【００１４】
また、上述した本発明の容器では、回転部材が容器体に当接した状態で、当接した箇所を軸に回転部材が回転するとともに、蓋部材が連通穴から離間した後は、回転部材の当接箇所を容器体から離間可能としてもよい。
【００１５】
回転部材は、回転可能に設けられていればどのような態様で設けてもよいが、容器体に当接した箇所を軸にして回転させてやれば、軸受機構などを設けなくてもよいので、容器の装置を簡素に保つことが可能である。また、当接した箇所を軸にして回転部材が回転するのであれば、軸受機構によって回転部材を保持するなどして容器体と回転部材とを接続しておく必要がないので、蓋部材を離間させた後に回転部材を容器体から離間させることも可能となる。こうすれば、容器内の流体を出し入れする際などに回転部材を遠ざけることで、流体を出し入れする作業などをより行い易くすることが可能である。
【００１６】
尚、上述した様に、回転の軸に対して回転部材の外縁よりも近い位置で回転部材に蓋部材を接続することで蓋部材に強い力を印加可能としていることから、回転の軸から蓋部材までの距離が短くなる傾向があり、したがって回転に伴う蓋部材の移動距離が短くなる傾向がある。こうした場合、蓋部材を連通穴から離間後に蓋部材と回転部材とが接続されていると、蓋部材が連通穴の近傍に位置することがある。この点、上述した様に回転の軸を容器体から離間可能に設けておけば、蓋部材を回転部材とともに容器体や連通穴から離すことができるので、蓋部材を連通穴から離間後に蓋部材と回転部材とが接続されている場合でも、蓋部材を連通穴の近傍から離間させて容器内の流体を出し入れする作業等を行い易くすることができる。加えて、このように蓋部材を連通穴から離間した後も蓋部材と回転部材とを接続しておけば、回転部材を容器体から離すのに連動して蓋部材を容器体から離すことができるので、回転部材と蓋部材とを別々に離す必要がなく、容器の使い勝手をより良好にすることができる。
【００１７】
また、このことから、蓋部材を回転部材の回転の軸により近い位置で接続して蓋部材により強い力を印加することも可能となる。すなわち、上述した力学的な観点からは、回転の軸により近い位置に蓋部材を接続すれば、その分だけより強い力を蓋部材に印加することが可能である。こうした場合、回転部材の回転による蓋部材の移動距離がより短くなることから、蓋部材が連通穴から離間した後に連通穴のより近くに位置するが、蓋部材を回転部材とともに容器体から離すことができれば、容器の使い易さを損なうことがない。したがって、容器の使い易さを保ちながらも、より強い力によって蓋部材を連通穴からより容易に離間させることが可能となる。
【００１８】
また、上述した本発明の容器では、回転部材が容器体から離れるのを規制する規制部材を容器体に設けておき、回転部材がこの規制部材に当接した箇所を軸にして回転することで、回転部材に接続された蓋部材を連通穴に押し付けるものとしてもよい。
【００１９】
こうすれば、蓋部材を連通穴に押し付ける際にも、軸受機構などを用いて回転部材を軸受けしなくてもよいので、容器の構成を簡素に保つことができる。また、軸受機構などを用いなくてもよいことから、回転部材を容器体から離間可能に設けることが可能である。したがって、蓋部材を連通穴に強い力で押し付けることを可能としながらも、上述した容器内に流体を出し入れする際などの容器の使い勝手を保つことが可能である。
【００２０】
また、上述した本発明は、容器に蓋をする機構に特徴がある点に鑑みると、容器の蓋として把握することが可能である。すなわち、本発明は、
流体を収容する容器の開口部を覆う蓋であって、
前記開口部を覆う基盤部と、
前記基盤部に設けられ、前記容器の内部と該容器の外部とを連通する連通穴と、
前記連通穴に当接して該連通穴を閉じるとともに、前記容器の外側に向かって該連通穴から離間可能に設けられた蓋部材と、
前記容器の外側から前記基盤部に当接するとともに、該当接した箇所を軸にして、前記蓋部材が離間する方向と交差する方向を軸とする回転が可能な回転部材と
を備え、
前記蓋部材は、前記回転の軸に対して前記回転部材の外縁よりも近い位置で該回転部材に接続されて、該回転部材の回転に連動して前記離間される蓋部材であり、
前記回転部材は、前記蓋部材が前記連通穴から離間された後に、前記基盤部に前記当接した箇所を、該基盤部から離間可能に設けられた回転部材である蓋
として把握することが可能である。
【００２１】
かかる本発明の蓋では、容器の開口部を覆う基盤部に連通穴が設けられており、この連通穴を介して容器内の流体を取り出したり、あるいは容器内に流体を入れることが可能となっている。また、この連通穴に当接して連通穴を閉じる蓋部材を備えており、この蓋部材は連通穴から離間可能に設けられている。更に、蓋部材の離間方向と交差する方向を軸にして回転可能に設けられた回転部材を備えている。そして、回転部材の回転の軸に対して回転部材の外縁よりも近い位置で蓋部材が回転部材に接続され、回転部材の回転に連動して蓋部材が動くことで、蓋部材が連通穴から離間する。
【００２２】
こうすれば、上述したように、回転部材に印加した力よりも強い力で蓋部材を離間することができるので、蓋部材をしっかりと閉めた場合でも、蓋部材を離間することが可能となる。その結果、蓋部材をしっかり閉めて容器の密閉性を確保しながらも、蓋部材を離間して容器内の流体を取り出したり、あるいは容器内に流体を入れることが容易に可能となる。
【００２３】
また、このような蓋を汎用的な容器に装着すれば、汎用的な容器であっても、蓋部材をしっかりと閉めて容器の密閉性を高めながらも、蓋部材を強い力で離間して容器内の流体を取り出したり容器内に流体を入れることが容易に可能となるので、汎用的な容器の利便性を向上させることが可能となる。
【００２４】
また、上述した本発明の容器は、携帯式の飲料用容器の態様をとることも可能である。携帯式の飲料用容器では、携帯して持ち歩く都合上、複雑な蓋機構を設けると容器が大型化してしまう等の不都合が生じる。この点、本発明では、回転部材を設けて蓋部材を接続するだけでよいので、構成を簡素に保つことが可能である。また、蓋部材をしっかりと閉めることが可能なことから、携帯時に飲料がこぼれてしまう等の不都合を回避することが可能となる。そして、こうして蓋部材をしっかりと閉めた場合でも、強い力を発生させて蓋部材を連通穴から離間することが可能である。
【図面の簡単な説明】
【００２５】
【図１】本実施例のコーヒータンブラーの全体構成を示した説明図である。
【図２】第１実施例のコーヒータンブラーの蓋ユニットの詳細な構成を示した説明図である。
【図３】本実施例のコーヒータンブラーの蓋を開ける様子を示した説明図である。
【図４】蓋を開けた後に蓋を飲み口穴から離間する様子を示した説明図である。
【図５】本実施例のコーヒータンブラーの蓋を片手で容易に開けることが可能な様子を示した説明図である。
【図６】本実施例のコーヒータンブラーの蓋を片手で容易に開けることが可能な様子を示した説明図である。
【図７】本実施例のコーヒータンブラーを手前に傾けることで飲料を容易に飲むことができる様子を示した説明図である。
【図８】第２実施例の蓋ユニットの構成を示した説明図である。
【図９】第２実施例の蓋機構に設けられた爪部の構成および爪部を用いて蓋を閉める様子を示した説明図である。
【図１０】レバー部材の回転軸を栓部材よりも内側に設けた第１変形例のコーヒータンブラーを示した説明図である。
【図１１】第１変形例のコーヒータンブラーの蓋を開ける様子を示した説明図である。
【図１２】レバー部材や蓋部材などを蓋基盤部に埋設した第２変形例の蓋ユニットを例示した説明図である。
【図１３】蓋を開けた後に蓋部材とレバー部材とを離間可能に設けた第３変形例の蓋ユニットを示した説明図である。
【図１４】蓋を開けた後に蓋部材とレバー部材とを離間可能に設けた第３変形例の蓋ユニットを示した説明図である。
【図１５】ギア機構によって力を伝達する第４変形例の蓋ユニットを示した説明図である。
【図１６】レバー部材をコーヒータンブラーの表面に張り付かせて保持する第５変形例のコーヒータンブラーを例示した説明図である。
【図１７】レバー部材の先端を引っ掛けることによりレバー部材を固定する第６変形例のコーヒータンブラーを示した説明図である。
【図１８】第６変形例のコーヒータンブラーの蓋を開ける様子を示した説明図である。
【図１９】レバー部材の固定を解除する動作とレバー部材を引き上げる動作とを一連の動作で行う様子を例示した説明図である。
【図２０】容器の本体にレバー部材や蓋部材を設けた第７変形例のコーヒータンブラーを例示した説明図である。
【発明を実施するための形態】
【００２６】
以下では、上述した本願発明の内容を明確にするために、コーヒータンブラーを例にとり、次のような順序に従って実施例を説明する。
Ａ．コーヒータンブラーの全体構成：
Ｂ．第１実施例の蓋ユニット：
Ｃ．第２実施例の蓋ユニット：
Ｄ．変形例：
Ｄ−１．第１変形例：
Ｄ−２．第２変形例：
Ｄ−３．第３変形例：
Ｄ−４．第４変形例：
Ｄ−５．第５変形例：
Ｄ−６．第６変形例：
Ｄ−７．第７変形例：
【００２７】
Ａ．コーヒータンブラーの全体構成  ：
図１は、本実施例のコーヒータンブラーの全体構成を示した説明図である。図示されている様に、本実施例のコーヒータンブラー１０は、おおまかには、内部にコーヒーなどの飲料を収容可能な本体部１２と、本体部１２の上部に設けられた蓋ユニット１００などから構成されている。蓋ユニット１００には、本体部１２の上部を覆う蓋基盤部１０２や、蓋基盤部１０２に軸受けされた板状の蓋プレート１１０や、蓋プレート１１０に接続されたゴム製の栓部材１１２などが備えられており、蓋プレート１１０が蓋軸１４０を中心に回転することで飲み口穴１３０を栓部材１１２で閉じることが可能となっている。この飲み口穴１３０は、容器の外側（図の上側）から容器の内側（図の下側）に向かって口径が次第に狭くなるように形成されており、このため、ゴム製の栓部材１１２を飲み口穴１３０に押し込むと、栓部材１１２がパッキンの役割を果たしてコーヒータンブラー１０内を高い密閉性で密閉することができる。こうして高い密閉性で密閉することで、コーヒータンブラー１０の中身が漏れ出してしまう虞を回避することが可能となっている。
【００２８】
もっとも、このように高い密閉性で容器を密閉した場合、栓部材１１２が飲み口穴１３０にしっかりと固定されることから、今度は蓋を開けることが困難になる場合がある。そこで、本実施例のコーヒータンブラー１０では、蓋ユニット１００を次のような構成とすることによりことにより、蓋をしっかりと閉めた場合でも、蓋を容易に開けることを可能としている。なお、上述したように本願発明の容器では、流体は容器体に収容され、その容器体に連通穴が設けられている。この点に鑑みると、第一実施例のコーヒータンブラー１０では、本体部１２と蓋基盤部１０２との組み合わせにより構成される容器体が、本願発明の容器体に相当するものとして把握することが可能である。
【００２９】
第１実施例の蓋ユニット  ：
図２は、第１実施例のコーヒータンブラーの蓋ユニットの詳細な構成を示した説明図である。図２（ａ）には、本実施例のコーヒータンブラー１０の蓋ユニット１００をコーヒータンブラー１０の上方から見た様子（図１に矢印で示した方向から見た様子）が示されている。図示されている様に、蓋プレート１１０を閉じた状態では、蓋プレート１１０が飲み口穴１３０に覆い被さっており、それに伴って栓部材１１２が飲み口穴１３０内に嵌った状態となっている。ここで、本実施例のコーヒータンブラー１０では、栓部材１１２が設けられた蓋プレート１１０を囲む位置にレバー部材１２０が設けられており、このレバー部材１２０と蓋プレート１１０とが、栓部材１１２の近傍に設けられた軸部材１２２を介して互いに接続されている。尚、本実施例では、レバー部材１２０は軸部材１２２を介して蓋プレート１１０に接続されているが、蓋基盤部１０２には固定されていないものとする。
【００３０】
図２（ｂ）には、本実施例のコーヒータンブラー１０の蓋ユニット１００をコーヒータンブラー１０の横方向から見た様子が示されている。図示されている様に、蓋プレート１１０を閉じた状態では、蓋プレート１１０が蓋基盤部１０２の上面と平行に蓋基盤部１０２の上面に重なった状態となっている。蓋プレート１１０に接続されたレバー部材１２０についても蓋プレート１１０と同様に、蓋基盤部１０２の上面に平行に重なった状態となっている。そして、この蓋プレート１１０と蓋プレート１１０とが、蓋プレート１１０の上面に沿う方向に延設された軸部材１２２によって接続されている。こうした構成を用いて、本実施例のコーヒータンブラー１０では、次のようにして蓋を開けることが可能である。
【００３１】
図３は、本実施例のコーヒータンブラーの蓋を開ける様子を示した説明図である。蓋を開ける際には、まず、レバー部材１２０の飲み口穴１３０から遠い方の端（図の左の端）を、蓋基盤部１０２の上面から引き上げる。レバー部材１２０の端を引き上げる際には、どのような方法で引き上げてもよいが、例えば図３（ａ）に矢印で示されている様に、蓋基盤部１０２の表面とレバー部材１２０との間に隙間を設けておき、その隙間からレバー部材１２０の端を引き上げることとしてもよい。こうすれば、レバー部材１２０を蓋基盤部１０２上に密接して設けた場合でも、隙間に指を入れるなどしてレバー部材１２０を容易に引き上げることが可能である。あるいは、レバー部材１２０の端に紐などを結んでおき、紐を引っ張るなどしてレバー部材１２０を引き上げることとしてもよい。
【００３２】
レバー部材１２０の端を引き上げると、一方の端を引き上げたことから、引き上げた端とは反対側の端（図中に「Ａ」と示した部分を参照）を軸にしてレバー部材１２０が回転する。このとき、本実施例のコーヒータンブラー１０では、レバー部材１２０と蓋プレート１１０とを軸部材１２２によって接続していることから、図３（ｂ）に示されている様に、軸部材１２２を介して蓋プレート１１０が蓋基盤部１０２から引き上げられるとともに、蓋プレート１１０に接続された栓部材１１２が飲み口穴１３０から引き抜かれる。
【００３３】
ここで、本実施例の蓋ユニット１００では、蓋プレート１１０を回転の軸（図中に「Ａ」と示した部分）に近い位置でレバー部材１２０に接続しており、このことから、レバー部材１２０の端を引き上げる力よりも強い力で、蓋プレート１１０および栓部材１１２を引き上げることが可能となっている。すなわち、本実施例の蓋ユニット１００の動作を力学的な観点からみると、次のように捉えることが可能である。まず、レバー部材１２０の一方の端を引き上げた際の力学的な仕事は、引き上げた際の力（Ｆ１）と引き上げた距離（Ｓ１）との積である。その一方で、この仕事によって蓋プレート１１０および栓部材１１２を引き上げたことから、このときの仕事は、蓋プレート１１０および栓部材１１２を引き上げる力（Ｆ２）と、蓋プレート１１０および栓部材１１２を引き上げた距離（Ｓ２）の積とに等しい（Ｆ１×Ｓ１＝Ｆ２×Ｓ２）。ここで、蓋プレート１１０および栓部材１１２を回転の軸（図中に「Ａ」と示した部分を参照）に近い位置でレバー部材１２０に接続しておけば、レバー部材１２０が回転した際に蓋プレート１１０（および栓部材１１２）が引き上げられる距離（Ｓ２）を、レバー部材１２０の端が引き上げられる距離（Ｓ１）よりも短くすることができる。すると、上述した「Ｆ１×Ｓ１＝Ｆ２×Ｓ２」の関係から、「Ｓ２」が小さくなる分だけ「Ｆ２」が大きくなる。すなわち、レバー部材１２０を引き上げた力（Ｆ１）よりも強い力（Ｆ２）で蓋プレート１１０および栓部材１１２を引き上げることが可能となる。
【００３４】
また、このことは、テコの原理の観点から、次のように把握することも可能である。すなわち、レバー部材１２０は、一方の端を軸にして回転することから、一方の端を「支点」とするテコを形成していると捉えることが可能である。すると、レバー部材１２０を引き上げるレバー部材１２０の一方の端は、いわゆる「力点」であり、蓋プレート１１０に接続されて蓋プレート１１０および栓部材１１２を引き上げる軸部材１２２の位置は、いわゆる「作用点」に相当している。テコの原理によれば、支点から作用点までの距離（ｄ２）が、支点から力点までの距離（ｄ１）よりも短ければ、作用点には、力点に印加した力よりも大きな力を作用させることが可能である。そこで、レバー部材１２０の端（引き上げる側の端）よりも軸に近い位置で蓋プレート１１０をレバー部材１２０に接続しておけば（ｄ１＞ｄ２としておけば）、支点から作用点までの距離を支点から力点までの距離よりも短くすることができるので、接続された蓋プレート１１０を強い力で引き上げることが可能となる。
【００３５】
このように、本実施例のコーヒータンブラー１０の蓋ユニット１００では、一方の端を軸にして回転するレバー部材１２０を備えており、このレバー部材１２０に蓋プレート１１０を接続している。このとき、回転の軸からレバー部材１２０を引き上げる部分（図３の例ではレバー部材１２０の左端の部分）までの距離よりも、回転の軸から近い距離にある位置に蓋プレート１１０を接続しておくことにより、レバー部材１２０を引き上げる力よりも大きな力で、蓋プレート１１０および栓部材１１２を引き上げることが可能となっている。その結果、蓋をしっかりと閉めて蓋プレート１１０あるいは栓部材１１２が蓋基盤部１０２に固く固定されている場合であっても、強い力を発生させて蓋を容易に開けることが可能となっている。なお、前述したように、本願発明は容器に蓋をする機構に特徴がある点に鑑みると、蓋の発明として把握することが可能である。このように把握した本願発明の蓋においては、前述のように、流体を収容する容器の開口部を覆う基盤部を備えており、その基盤部に連通穴が設けられている。この点に鑑みると、第一実施例のコーヒータンブラー１０では、蓋基盤部１０２が本願発明の基盤部に相当するものとして把握することが可能である。
【００３６】
尚、本実施例の蓋ユニット１００では、レバー部材１２０が蓋プレート１１０に接続されていることから、蓋プレート１１０が開く際の蓋プレート１１０の動きに連動してレバー部材１２０の回転軸が移動することがある。例えば、図３（ｂ）に示されている例では、蓋プレート１１０が蓋軸１４０を軸にして回転しながら開くので、この動きに連動してレバー部材１２０が図の左方向に僅かに移動する。したがって、蓋基盤部１０２に当接した箇所（回転の軸となる箇所）が蓋基盤部１０２上を移動しながらレバー部材１２０が回転することになる。このように回転の軸が動きながらレバー部材１２０が回転する場合であっても、回転の軸からレバー部材１２０を引き上げる部分（図３の例ではレバー部材１２０の左端の部分）までの距離よりも、回転の軸から近い距離にある位置に蓋プレート１１０を接続しておけば、軸が移動するか否かにかかわらず、レバー部材を引き上げた力よりも強い力で蓋プレートを引き上げることが可能である。
【００３７】
また、本実施例の蓋ユニット１００では、蓋を開けた後に蓋プレート１１０を飲み口穴１３０から大きく離すことが可能であり、このため、コーヒータンブラー１０内の飲料を飲み口穴１３０から容易に飲むことが可能である。この点について図４を参照しながら説明する。
【００３８】
図４は、蓋を開けた後に蓋を飲み口穴から離間する様子を示した説明図である。本実施例の蓋ユニット１００では、前述した様に、レバー部材１２０を蓋基盤部１０２に固定していないので、蓋を開ける際に軸となったレバー部材１２０の端の部分（図３（ｂ）に「Ａ」と示した部分を参照）は、蓋基盤部１０２の上面から自在に離れることが可能である。このため、図４（ａ）に示されている用に、蓋を開けた後に、回転の軸となってレバー部材１２０の端の部分（図４（ａ）に「Ｂ」と示した部分）を蓋基盤部１０２の上面から離すことができる。こうすれば、蓋プレート１１０や栓部材１１２を蓋基盤部１０２や飲み口穴１３０から大きく離すことができるので、蓋プレート１１０や栓部材１１２が邪魔になることがなくコーヒータンブラー１０内の飲料を容易に飲むことが可能となる。
【００３９】
前述した力学的な観点からは、蓋を強い力で引き上げるためには、回転の軸にできるだけ近い位置に蓋を接続することが望ましい。もっとも、こうした場合、蓋の回転半径が小さくなることから、蓋が移動する距離が短くなるので、蓋を開けた後に蓋が飲み口穴１３０のすぐ近くに位置する場合がある。一方で、飲み易さという観点からは、蓋を開けた後は蓋が飲み口穴１３０から遠ざかることが好ましい。この点、こうして回転の軸を移動可能に設けておけば、回転の軸の位置から蓋の位置までの距離を短くしても、回転の軸が移動することによって蓋を移動させることができる。こうすれば、蓋を回転軸のより近くに設けて蓋をより強い力で開けることを可能としながらも、蓋を大きく移動させて飲み易さを確保することが可能となり、より好適である。
【００４０】
尚、図４（ｂ）に示されている様に、蓋プレート１１０の表面が蓋基盤部１０２の表面に重なる位置まで蓋プレート１１０を回転可能に設けておくものととしてもよい。こうすれば、蓋を開けた後に、蓋プレート１１０が蓋基盤部１０２の上面から上方に大きく突出することがないので、飲料を飲む際や飲料を補充する際などに蓋プレート１１０や栓部材１１２が邪魔になることが少なく好適である。
【００４１】
また、図４（ｂ）に示されている様に、レバー部材１２０を保持する保持部材１５０を本体部１２の側面に設けておき、レバー部材１２０を本体部１２の側面に沿う位置まで移動させて保持部材１５０にレバー部材１２０を保持させるものとしてもよい。例えば、図４（ｂ）に示されている様に、レバー部材１２０の先端を保持部材１５０にひっかけることによって、レバー部材１２０を保持するものとしてもよい。このようにレバー部材１２０をコーヒータンブラー１０の表面に沿わせた状態で保持すれば、レバー部材１２０がコーヒータンブラー１０の表面から外側に大きく突出することがないので、レバー部材１２０が邪魔にならずに好適である。また、レバー部材１２０を保持しておけば、コーヒータンブラー１０を傾けて中身の飲料を飲む際に、レバー部材１２０が重力によって動いてしまったり、蓋プレート１１０が飲み口穴１３０を閉じる方向に移動してしまう虞を回避することもできるので、より好適である。
【００４２】
また、本実施例のコーヒータンブラー１０では、蓋プレート１１０が蓋軸１４０によって蓋基盤部１０２と連結されているので、蓋を開けた状態でも蓋プレート１１０が容器に連結されている。こうしておけば、蓋プレート１１０を飲み口穴１３０から大きく離して飲み口穴１３０から飲料を容易に飲めるようにしながらも、蓋プレート１１０を紛失してしまう虞を回避することができる。もちろん、レバー部材１２０についても同様に、蓋プレート１１０を介して容器に連結されているので、レバー部材１２０を紛失してしまう虞を回避することが可能である。
【００４３】
また、蓋を開ける際には、栓部材１１２は飲み口穴１３０から引き上げられるだけであり、蓋を開けることに伴って栓部材１１２が切断されたり破壊されたりすることはない。したがって、再び蓋を閉じれば、容器内を再び密閉することが可能である。この点について補足して説明する。
【００４４】
一般に、密閉性の高い蓋では、蓋を容器本体に強固に固定する都合上、その強固な固定に逆らって蓋を開けることは困難である。このため、蓋を開ける際には、蓋の一部を切断したり蓋と容器体とを切断するなどの方法が一般に用いられている。例えば、飲料が入ったペットボトルの蓋では、蓋を容器に強く押さえ付けている蓋の下側の部分を切断することによって、蓋の上側の部分を開けるようになっている。あるいは、缶詰の蓋などのように、蓋と容器本体とを一体に形成することで密閉性を確保しておき、蓋を開ける際には、蓋と容器本体とを切断することで開封可能としているものもある。このように、密閉性の高い蓋では、密閉性を確保するために蓋と容器本体とを強固に固定する必要があることから、その強固な固定に逆らって蓋を開けることは困難であり、このため、蓋や容器体を切断するなどの一度行ったら元に戻すことができない方法（不可逆的な方法）によって蓋を開けなければならないという制約があった。こうした場合、一度開けた容器を再び密閉することは困難である。
【００４５】
この点、本実施例の蓋ユニット１００では、栓部材１１２を飲み口穴１３０に強く押し付けて栓部材１１２と飲み口穴１３０とを強固に固定した場合であっても、強い力で栓部材１１２を引き上げることができるので、栓部材１１２を容易に引き上げることが可能となっている。そして、栓部材１１２を容易に引き上げ可能なため、栓部材１１２を切断する等の不可逆的な方法を用いて蓋を開ける必要がなく、その結果、蓋を開けた後に蓋を閉じて容器を再び密閉することも可能である。このように、本実施例のコーヒータンブラー１０では、高い密閉性を確保しながらも、容器を繰り返し密閉することが可能となっている。
【００４６】
尚、蓋を開けた後に再び蓋を閉じる際には、蓋プレート１１０を動かせば、蓋プレート１１０が蓋軸１４０にガイドされることによって栓部材１１２が飲み口穴１３０の位置に導かれる。このため、栓部材１１２を飲み口穴１３０の位置に位置合わせしながら押し込む必要がなく、蓋プレート１１０を回転させるだけで蓋を容易にすることが可能となっている。
【００４７】
また、本実施例のコーヒータンブラー１０は、蓋を片手で簡単に開けることが可能である。この点について、図５および図６を参照しながら説明する。
【００４８】
図５および図６は、本実施例のコーヒータンブラーの蓋を片手で容易に開けることが可能な様子を示した説明図である。図５に示されている様に、蓋を開ける際には、レバー部材１２０の先に人差し指（あるいは中指）をかけると共に、蓋基盤部１０２や本体部１２に親指（あるいは手の甲）をかける。そして、図６に示されている様に、親指で蓋基盤部１０２あるいは本体部１２を押さえながら、人差し指をかけたレバー部材１２０の先端を引き上げる（人差し指の先でレバー部材１２０を引き上げる、あるいは人差し指でレバー部材１２０の先端を引っ掛けた状態のまま手首を反らす）。これにより、前述したようにレバー部材１２０および軸部材１２２を介して蓋プレート１１０および栓部材１１２を引き上げて蓋を開けることが可能となる。
【００４９】
一般に、密閉性の高い容器では、蓋が強固に固定されていることから、容器を片方の手で固定して、もう片方の手で蓋を開けるなどのように、両手を使って蓋をあける必要がある。この点、本実施例のコーヒータンブラー１０では、このようにコーヒータンブラー１０に片方の手をかけてレバーを引き上げるだけで蓋を開けることが可能であり、密閉性の高い容器が一般に有するこうした制約をなくすことが可能となっている。
【００５０】
また、本実施例のコーヒータンブラー１０では、レバー部材１２０の一方の端（引き上げる側の端）が飲み口穴１３０と反対側に位置していることから、飲料がより飲みやすくなっている。すなわち、上述した様に人差し指や中指を使ってレバー部材１２０を引き上げることから、蓋を開ける人にとっては、奥側にレバー部材１２０の端（引き上げる側の端）があり、手前側に飲み口穴１３０があることになる。このため、蓋を開ければ飲み口穴１３０が手前側（図５および図６では図の右側）にあるので、図７に示されている様に、そのままコーヒータンブラー１０を手前側に傾けるだけで、コーヒータンブラー１０内の飲料を飲むことが可能となっている。このように、蓋基盤部１０２（あるいは本体部１２）の中心に対して飲み口穴１３０と反対側にレバー部材１２０を設けておけば、片手をかけてレバー部材１２０を引き上げて蓋を開けると、その状態で飲み口穴１３０が手前側に位置するので、コーヒータンブラー１０を回転させて飲み口穴１３０を手前にもってくる等の手間を省くことができる。これにより、コーヒータンブラー１０をより使い勝手のよい構成とすることが可能となる。
【００５１】
尚、本実施例では、コーヒーなどの飲料を入れるコーヒータンブラーを例にとって説明したが、こうした飲料を入れる容器ではなく、他の流体を入れる容器であってももちろんよい。これらの種々の容器に適用した場合も、蓋をしっかりと閉めて蓋を固く固定した場合であっても、蓋を容易に開けることが可能である。また、コーヒータンブラーなどのように、周囲よりも温度の高い流体を入れる容器では、次の理由から蓋が固く閉まってしまうことがあるが、こうした場合でも蓋を開けることが可能である。すなわち、容器内に温度が高い流体を入れた場合、流体が冷めると、それにつれて容器内の気圧が低下するので、容器内が負圧になる。すると、この負圧によって蓋が容器内に引き込まれて蓋がより強固に固定されてしまう。
【００５２】
この点、本実施例の蓋ユニットでは、レバー部材を引き上げた力よりも大きな力で蓋を引き抜くことができるので、こうした負圧が生じている場合でも、蓋を引き抜くことが可能である。また、容器内の負圧は蓋が開くと開放されるので、蓋が開いた途端に、蓋を容器内に引き込む力が弱まる。このため、蓋を強く引き上げると、蓋が開いた際に勢いあまって容器内の流体をこぼしてしまう場合がある。この点、本実施例の蓋ユニットでは、レバー部材の回転軸に近い位置に蓋プレートを接続していることがから、レバー部材の端を引き上げた際に蓋プレートが引き上げられる距離が、レバー部材の端を引き上げた距離よりも短くなる。このため、蓋をゆっくりと開けることができるので、勢いあまって容器内の流体をこぼしてしまう等の虞を回避することも可能となっている。
【００５３】
Ｃ．第２実施例の蓋ユニット  ：
前述した第１実施例の蓋ユニットでは、蓋を容易に開けることが可能であるものとして説明した。しかし、蓋を容易に開けることだけではなく、蓋を容易に閉めることを可能とすることもできる。以下では、こうした蓋を容易に閉めることも可能とする第２実施例の蓋ユニットについて説明する。
【００５４】
図８は、第２実施例の蓋ユニットの構成を示した説明図である。図示されている様に、第２実施例の蓋ユニット１００では、前述した第１実施例の蓋ユニットと同様に、蓋基盤部１０２上に、蓋プレート１１０、レバー部材１２０、レバー部材１２０と蓋プレート１１０とを接続する軸部材１２２などが配置されている。ここで、第２実施例の蓋ユニット１００では、こうした各構成に加えて、レバー部材１２０の先端を差し込むことが可能な爪部材２００を備えている。
【００５５】
図９は、第２実施例の蓋機構に設けられた爪部の構成、および爪部を用いて蓋を閉める様子を示した説明図である。図９（ａ）に示されている様に、爪部材２００は、蓋基盤部１０２の上面から突設されたＬ字形状の部材であり、レバー部材１２０の先端を爪部材２００に差し込むことにより、レバー部材１２０を爪部材２００で支えることが可能である。この爪部材２００を用いて蓋を閉める際には、レバー部材１２０の先端を差し込み、次いで、レバー部材１２０の反対側の端を蓋基盤部１０２の方向（図９（ａ）の例では下方向）に押し下げる。これにより、レバー部材１２０が爪部材２００に当接した箇所（図中に「Ｃ」と示した箇所を参照）を軸にして、レバー部材１２０を回転させることができる（図中の白抜きの矢印を参照）。
【００５６】
ここで、蓋プレート１１０（および蓋プレート１１０に設けられた栓部材１１２）は、前述したように、レバー部材１２０の先端（図の右側の先端）に近い位置でレバー部材１２０に接続されている。このため、レバー部材１２０の先端の近傍を爪部材２００で支えた箇所（図９（ａ）に「Ｃ」と示した箇所を参照）を軸にしてレバー部材１２０が回転する際には、蓋プレート１１０が接続された位置からこの回転の軸までの距離が、レバー部材１２０の端（レバー部材１２０を押した側の端）から回転の軸までの距離よりも短くなる。したがって、前述した力学的な理由から、レバー部材１２０の先端を押す力よりも強い力で蓋プレート１１０を押すことができる。その結果、蓋プレート１１０に接続された栓部材１１２を飲み口穴１３０に強い力で押し込んで飲み口穴１３０を密閉することが可能となる。
【００５７】
このように、第２実施例の蓋ユニット１００では、レバー部材１２０を引き上げて蓋を開ける際だけでなく、それと反対に蓋を閉める際にも、レバー部材１２０の一部を支えるとともに、支えた部分を軸にしてレバー部材１２０を回転させることで、レバー部材１２０を介して蓋を閉じることが可能となっている。そしてこのとき、レバー部材１２０の回転の軸となる箇所から蓋プレート１１０が接続された箇所までの距離を、レバー部材１２０の回転の軸からレバー部材の端までの距離よりも短くしておくことにより、レバー部材１２０の端を押した力よりも強い力で蓋プレート１１０を押し下げることを可能としている。こうすれば、蓋を強い力で押し付けて高い密閉性を確保することが容易に可能となる。もちろん、前述した様に、レバー部材１２０を引き上げれば、密閉した蓋を容易に開けることも可能である。加えて、前述した様に、こうした高い密閉性を実現しながらも、蓋を開けた後に容器を再び高い密閉性で密閉することが可能であり、高い密閉性を確保する蓋では一度蓋を開けた後に再び密閉することは困難だという制約をなくすことが可能となる。
【００５８】
また、第２実施例の蓋ユニット１００では、図９に示されている様に、蓋を閉める際には、レバー部材１２０に対して蓋基盤部１０２と反対側でレバー部材１２０を支えており（図９に「Ｃ」と示した部分を参照）、一方、蓋を開ける際には、前述したように蓋基盤部１０２の側でレバー部材１２０を支えている（図３（ｂ）に「Ａ」と示した箇所を参照）。このように蓋を開ける際と蓋を閉める際とでレバー部材に対して互いに反対側でレバー部材を支えてやれば、レバー部材を軸受機構などによって容器に固定しておかなくても、蓋を開ける際と蓋を閉める際とのいずれの場合もレバー部材を回転させることが可能となる。こうすれば、レバー部材や蓋プレートを容器から大きく離すことが可能となり、その結果、前述した様に容器内の飲料をより飲みやすくしたり、容器内の流体を容易に取り出せる容器を実現することが可能となる。
【００５９】
Ｃ．変形例  ：
以下では、上述した実施例の変形例について説明する。尚、以下の変形例の説明では、上述した実施例と同様の構成については、実施例と同様の符号を付すとともに、詳細な説明を省略する。
【００６０】
Ｃ−１．第１変形例  ：
前述した実施例のコーヒータンブラー１０では、レバー部材１２０の回転の軸が、栓部材１１２よりも蓋基盤部１０２の外側に位置するものとして説明した（図３（ｂ）を参照）。しかし、レバー部材１２０の回転の軸が栓部材１１２よりも内側に位置するものとしてもよい。
【００６１】
図１０は、レバー部材の回転軸を栓部材よりも内側に設けた第１変形例のコーヒータンブラーを示した説明図である。図１０（ａ）に示されているように、第１変形例のコーヒータンブラー１０では、栓部材１１２を備えた蓋プレート１１０が、蓋基盤部１０２の外縁に沿って設けられており、蓋軸１４０を介して蓋基盤部１０２に接続されている。レバー部材１２０は、この蓋プレート１１０の内側に設けられており、蓋プレート１１０の内側とレバー部材１２０との間に設けられた軸部材１２２を介して蓋プレート１１０とレバー部材１２０とが接続されている。
【００６２】
図１０（ｂ）には、第１変形例の蓋ユニット１００をコーヒータンブラー１０の横方向から見た様子が示されている。図示されているように、第１変形例の蓋ユニット１００を横方向から見ると、レバー部材１２０の先端（図の右側の先端）が栓部材１１２よりも内側に位置しており、栓部材１１２がレバー部材１２０の先端（図中の右側の先端）よりもコーヒータンブラー１０の外側（図の右側）に位置している。
【００６３】
図１１は、第１変形例のコーヒータンブラー１０の蓋を開ける様子を示した説明図である。図１１（ａ）に示されている様に、第１変形例のコーヒータンブラー１０の蓋を開ける際には、前述した実施例と同様に、レバー部材１２０の一方の端を引き上げる。こうすることで、レバー部材１２０のもう一方の端が蓋基盤部１０２に当接し（図中に「Ｄ」と示した箇所を参照）、当接した箇所を軸にしてレバー部材１２０が回転する。第１変形例のコーヒータンブラー１０においても、蓋プレート１１０が軸部材１２２を介してレバー部材１２０に接続されているので、レバー部材１２０が回転することによって、軸部材１２２を介して蓋プレート１１０を引き上げることができる。このとき、第１変形例においても、蓋プレート１１０が接続された位置から回転の軸（図中に「Ｄ」と示した箇所を参照）までの距離が、回転の軸からレバー部材１２０の端（図の左側の端）までの距離よりも短くなっている。したがって、上述したように、レバー部材１２０の端（図の左側の端）を引き上げた力よりも強い力で蓋プレート１１０を引き上げることが可能となる。
【００６４】
また、このようにレバー部材１２０の回転軸の位置を蓋基盤部１０２の中心に近い位置（外縁から離れた位置）に位置させれば、その分だけ蓋プレート１１０を蓋基盤部１０２の外縁の近くに設けることが可能となる。あるいは、レバー部材１２０が蓋基盤部１０２の外縁付近まで延設されないことから、図１０（ａ）に示されている様に、その分だけ蓋プレート１１０を蓋基盤部１０２の外縁に沿って大きく形成することができる。こうすれば、蓋プレート１１０が蓋をする範囲を大きくすることが可能となり、また、栓部材１１２によって閉じる飲み口穴１３０を大きくすることも可能となるので、飲料がより飲みやすいコーヒータンブラーを実現することが可能となる。
【００６５】
尚、コーヒータンブラー１０の蓋を開けた後は、図１１（ｂ）に示されている様に、レバー部材１２０の回転の軸となったレバー部材１２０の端（図の右側の端）が蓋基盤部１０２から離れることができるので、蓋プレート１１０を飲み口から大きく離すことができる。こうすることで、蓋プレート１１０や栓部材１１２が邪魔にならずに飲料を飲みやすいコーヒータンブラーを実現することが可能となる。
【００６６】
Ｃ−２．第２変形例  ：
前述した実施例の蓋機構では、レバー部材１２０や蓋プレート１１０などが蓋基盤部１０２の面上に設けられているものとして説明した（図２（ｂ）を参照）。しかし、レバー部材１２０や蓋プレート１１０などを、蓋基盤部１０２に埋設することも可能である。
【００６７】
図１２は、レバー部材や蓋プレートなどを蓋基盤部に埋設した第２変形例の蓋ユニットを例示した説明図である。図１２（ａ）には、第２変形例の蓋ユニット１００を蓋ユニット１００の上方から見た様子が示されている。第２変形例の蓋ユニット１００では、蓋基盤部１０２の表面の一部（図１２（ａ）にハッチングを付して示した部分）に凹部が形成されており、この凹部の中に、蓋プレート１１０やレバー部材１２０などが設けられている。
【００６８】
図１２（ｂ）には、第２変形例の蓋ユニット１００をコーヒータンブラー１０の横方向から見た様子が示されている。図示されている様に、蓋プレート１１０やレバー部材１２０や蓋軸１４０などは、蓋基盤部１０２に設けられた凹部の中に納められている。こうすれば、蓋基盤部１０２の上面に蓋プレート１１０やレバー部材１２０が突出しないので、蓋プレート１１０やレバー部材１２０を誤って操作してしまう虞を回避することが可能である。例えば、コーヒータンブラー１０を鞄などの中に入れて持ち歩く際に、レバー部材１２０が鞄の中の物に引っかかって操作されてしまう等の虞を回避することができる。また、図１２（ｂ）の例に示されている様に、レバー部材１２０の表面を蓋基盤部１０２の表面とほぼ一致させて設けてもよい。こうすれば、レバー部材１２０と蓋基盤部１０２との間の段差を小さくすることができるので、レバー部材１２０と蓋基盤部１０２との間の段差に物がひっかかる虞を回避することも可能となる。もちろん、レバー部材１２０の表面だけでなく、蓋プレート１１０の表面についても同様に、蓋基盤部１０２の表面と一致させておくものとしてもよい。
【００６９】
また、図１２（ｂ）に例示されている様に、蓋基盤部１０２の凹部の壁面とレバー部材１２０との間に隙間を設けてもよい（図１２（ｂ）に「Ｈ」と示された部分を参照）。こうすれば、レバー部材１２０を蓋基盤部１０２に埋設した場合であっても、隙間からレバー部材１２０を容易に引き上げることが可能となる。
【００７０】
Ｃ−３．第３変形例  ：
前述した実施例の蓋ユニットでは、蓋プレート１１０とレバー部材１２０とが軸部材１２２によって連結されており、このため、蓋プレート１１０を開けた後も、蓋プレート１１０とレバー部材１２０とが連結されたままであるものとして説明した。しかし、蓋プレート１１０とレバー部材１２０とを常に連結しておく必要は必ずしもなく、蓋を開けた後に蓋プレート１１０とレバー部材１２０とが分離するものとしてもよい。
【００７１】
図１３および図１４は、蓋を開けた後に蓋プレートとレバー部材とを分離可能に設けた第３変形例の蓋ユニットを示した説明図である。図１３（ａ）に示されている様に、第３変形例の蓋ユニット１００では、レバー部材１２０に凹部が設けられており（図中に「Ｅ」と示した部分を参照）、蓋プレート１１０に接続された軸部材が、この凹部に納められている。また、レバー部材１２０は、蓋基盤部１０２に軸受されており、軸受１１４を軸にして回転可能に設けられている。こうした構成を用いて、次のようにして蓋を開けることが可能である。
【００７２】
図１３（ｂ）には、第３変形例の蓋ユニット１００によって蓋が開けられる様子が示されている。図示されている様に、レバー部材１２０の端を引き上げると（図中の白抜きの矢印を参照）、凹部の壁面に軸部材１２２が当接して軸部材１２２が引き上げられ、それに伴って蓋プレート１１０および栓部材１１２が引き上げられる。このとき、第３変形例の蓋ユニット１００においても前述した実施例と同様に、レバー部材１２０の回転の軸（軸受１１４）から軸部材１２２までの距離が、レバー部材１２０の回転の軸（軸受１１４）からレバー部材１２０の端（図の左側の端）までの距離よりも短くなっている。したがって、前述した力学的な観点から、こうした場合も蓋プレート１１０および栓ユニットを、レバー部材１２０を引き上げる力よりも強い力で引き上げることが可能である。
【００７３】
レバー部材１２０を更に引き上げると、図１４（ａ）に示されている様に、レバー部材１２０の凹部から軸部材１２２が離れる。そして、図１４（ｂ）に示されている様に、蓋プレート１１０とレバー部材１２０とをそれぞれ飲み口穴から離れた位置まで移動させれば、レバー部材１２０や蓋プレート１１０が邪魔にならずに飲み口穴から飲料を飲むことができる。
【００７４】
前述した様に、蓋を強い力で引き上げるためには、蓋を回転の軸にできるだけ近い位置で接続することが望ましいものの、蓋を回転の軸に近い位置で接続すると、蓋の回転半径が小さいことから蓋が移動する距離が短くなる。このため、蓋を開けた後に蓋が飲み口の近くにあり、コーヒータンブラー内の飲料を飲み難い場合も生じ得る。この点、こうしてレバー部材１２０と蓋プレート１１０とを分離可能に設けておけば、レバー部材１２０の回転軸（図１３および図１４の例では軸受１１４）が飲み口穴１３０の近くに設けられていても、蓋プレート１１０を飲み口穴１３０から大きく離すことができるので、蓋を強い力で開けることを可能としながらも、飲み易さを保つことが可能である。
【００７５】
Ｃ−４．第４変形例  ：
前述した実施例では、レバー部材１２０を引き上げた力が、レバー部材１２０に設けられた軸部材１２２を介して蓋プレート１１０に伝わるものとして説明した。このため、前述した様に、レバー部材１２０はテコの役割を果たしていると捉えることが可能である。しかし、一見するとテコとは見えないような機構を用いて力を伝達することも可能である。例えば、次のようなギア機構を用いることも可能である。
【００７６】
図１５は、ギア機構によって力を伝達する第４変形例の蓋ユニット１００を示した説明図である。図１５（ａ）に示されている様に、第４変形例の蓋ユニット１００では、レバー部材１２０の先端が軸受１１４によって蓋基盤部１０２に軸受けされている。また、レバー部材１２０の軸受１１４の近傍には、凹凸が設けられていわゆるギアが構成されている。そして、このレバー部材１２０のギアと、蓋プレート１１０の先端に設けられたギアとがかみ合うように構成されている。
【００７７】
図１５（ｂ）には、第４変形例の蓋ユニット１００を用いて蓋を開ける様子が示されている。図示されている様に、レバー部材１２０の端を引き上げると（図中の白抜きの矢印を参照）、レバー部材１２０が軸受１１４を軸にして回転し、それに伴ってレバー部材１２０の先端に設けられたギアが回転する。そして、このギアにかみ合っている蓋プレート１１０のギアが回転し、その結果、蓋プレート１１０および栓部材１１２が引き上げられる。
【００７８】
こうした場合も、レバー部材１２０の回転の軸となる軸受１１４から、蓋プレート１１０とレバー部材とが接続された位置（図１５の例ではギアがかみ合った位置）までの距離は、軸受１１４からレバー部材１２０の先端までの距離よりも短い。したがって、前述した力学的な観点から、レバー部材１２０を引き上げた力よりも大きな力で蓋プレート１１０のギアを回転させることが可能となり、その結果、こうした構成を用いた場合も、蓋プレート１１０を強い力で引き上げることが可能となる。
【００７９】
Ｃ−５．第５変形例  ：
前述した実施例のコーヒータンブラー１０では、蓋を開けた後に、レバー部材１２０を保持部材１５０に引っ掛けることでレバー部材１２０を保持するものとして説明した（図４を参照）。しかし、レバー部材１２０を引っ掛けて保持するのではなく、レバー部材１２０をコーヒータンブラー１０の表面に張り付かせて保持するものとしてもよい。
【００８０】
図１６は、レバー部材をコーヒータンブラーの表面に張り付かせて保持する第５変形例のコーヒータンブラーを例示した説明図である。図１６（ａ）に示されている例では、本体部１２の表面に磁石１９０が設けられており、レバー部材１２０の表面に設けられた金属板１８０がこの磁石１９０に張り付くようになっている。こうすれば、レバー部材１２０を本体部１２の位置まで移動させるだけでレバー部材１２０を固定することができるので、操作がより簡単となる。
【００８１】
また、図１６（ｂ）に示されている様に、蓋を閉めた状態でレバー部材１２０を固定することも可能である。図１６（ｂ）に示されている例では、蓋基盤部１０２に磁石１９０が埋め込まれており、蓋を閉じた状態でレバー部材１２０の表面の金属板１８０が磁石１９０に張り付くようになっている。こうすれば、蓋を閉じた状態でレバー部材１２０が動いてしまう虞を低減することも可能となり、延いては蓋が誤って開いてしまう虞を回避することも可能となる。
【００８２】
尚、図１６では、レバー部材１２０を磁石によって張り付かせるものとして説明したが、レバー部材１２０を張り付かせることが可能であれば、磁石にかぎらず種々の構成を用いることが可能である。たとえば、いわゆる面ファスナーを用いてレバー部材を張り付かせるものとしてもよいし、あるいは、粘着性を有する部材を用いてレバー部材を張り付かせるものとしてもよい。いずれの場合でも、レバー部材を固定することが可能であり、飲料を飲む際にレバー部材が邪魔になったり、蓋を閉じた状態でレバー部材が誤って動いてしまう虞を低減することが可能である。
【００８３】
Ｃ−６．第６変形例  ：
また、蓋を閉じた状態でレバー部材の先端を他の部材に引っ掛けてレバー部材を固定するものとしてもよい。
【００８４】
図１７は、蓋を閉じた状態でレバー部材の先端を引っ掛けることでレバー部材を固定する第６変形例のコーヒータンブラーを示した説明図である。図１７（ａ）に示されている様に、第６変形例のコーヒータンブラー１０では、レバー部材１２０の先端にスライド部１２４が設けられており、このスライド部１２４が蓋基盤部１０２に設けられた固定部材２１０に引っかかることでレバー部材１２０を固定可能としている。ここで、スライド部１２４は、レバー部材１２０の先端に弾性部材１２６を介して接続されており、図１７（ｂ）に白抜きの矢印で示されている様に、固定部材２１０から外れる方向に移動可能に設けられている。このため、蓋を閉めた状態では固定部材２１０に引っかかることでレバー部材１２０を固定することが可能であるが、蓋を開ける際には固定部材２１０から外して固定を解除することが可能である。こうすれば、スライド部１２４が固定部材２１０にひっかかることでレバー部材１２０を確実に固定可能としながらも、蓋を開ける際には固定を容易に解除して蓋を容易に開けることが可能となる。
【００８５】
また、こうしたスライド部をレバー部材の先端部分に設けておけば、レバー部材の固定を解除する動作と、レバー部材を引き上げる動作とを一連の動作で行うことができ、蓋をより容易に開けることが可能となる。この点について図１８および図１９を参照して説明する。
【００８６】
図１８および図１９は、蓋を開ける際に、レバー部材の固定を解除する動作とレバー部材を引き上げる動作とを一連の動作で行う様子を例示した説明図である。図１８に示されている様に、蓋を開ける際には、親指で蓋基盤部１０２あるいは本体部１２を押さえながら、人差し指をレバー部材１２０の先端のスライド部１２４にかけることで、スライド部１２４を移動させて固定を解除することが可能である。そして、この状態から、図１９に示されている様に、レバー部材１２０の先端部を引き上げてやれば、そのまま蓋を開けることが可能である。このように、レバー部材の固定を解除するスライド部を、レバー部材の先端に設けておけば、スライド部を移動させて固定を解除する動作に続けてレバー部材を引き上げることができるので、レバー部材の固定と解除とを一連の動作で行うことが可能である。こうすれば、レバー部材を引き上げる動作をするためにレバー部材の先端に指をかけるだけでレバー部材の固定を解除することができるので、蓋を開ける操作をより容易に行うことが可能となる。
【００８７】
Ｃ−７．第７変形例  ：
前述した実施例および変形例では、容器の本体部１２の上側に蓋基盤部１０２が設けられており、この蓋基盤部１０２の上に蓋プレート１１０やレバー部材１２０が設けられているものとして説明した。しかし、蓋基盤部１０２を設けずに、蓋プレート１１０やレバー部材１２０を容器本体に設けてもよい。
【００８８】
図２０は、レバー部材や蓋プレートを容器の本体に設けた第７変形例のコーヒータンブラーを例示した説明図である。図示されている様に、第７変形例のコーヒータンブラー１０では、本体部１２が上面１４を有する形状に形成されており、この上面１４に、蓋軸１４０や蓋プレート１１０が設けられている。こうした場合も、前述した実施例と同様に、蓋を強く閉めた場合であっても、レバー部材１２０を用いることで、蓋プレート１１０を強い力で引き上げて蓋を容易に開けることが可能である。また、このように蓋プレート１１０などを本体部１２上に設ければ、蓋基盤部１０２を設けなくてもよいので、部品構成を簡素化することが可能となる。
【００８９】
一方、蓋プレート１１０などを蓋基盤部１０２に設けた場合、こうした蓋基盤部１０２を既存の容器体に装着して用いることが可能である。こうすれば、蓋をしっかりと閉めて密閉性を高めた場合でも、レバー部材１２０を操作することで蓋を容易に開けることが可能となるので、既存の容器であっても、蓋を開ける際に蓋が開かなくなる虞を回避して蓋をしっかりと閉めることが可能となる。これにより、汎用的な容器の密閉性を向上させることも可能となる。また、蓋基盤部１０２を装着すれば、汎用的な容器であっても、レバー部材を操作することで蓋を容易に開けることができるので、汎用的な容器の利便性を向上させることも可能となる。
【００９０】
尚、上述した実施例および変形例の蓋ユニットでは、蓋プレートやレバー部材を容器の外側に設けている。一般に、こうした可動機構を容器に設けた場合、部材と部材との隙間に流体が付着すると、容器を洗浄するなどしても付着した流体を完全に取り除くことが困難だという不都合が生じることがある。この点、上述した実施例および変形例のように、容器の外側に蓋プレートやレバー部材などを設ければ、こうした可動機構が容器内の流体に直接触れることがないので、そのような危惧を回避することができる。したがって、容器内に汚れや残留物等の不純物が混入するのを防ぐ観点や、付着した流体が腐敗したりカビが生えるのを避けるといった衛生上の観点からも、好適である。
【００９１】
以上、本実施例の容器について説明したが、本発明は、上述した実施例および変形例の容器に限られず、その趣旨を逸脱しない範囲において、種々の態様で実施することが可能である。
【符号の説明】
【００９２】
１０...コーヒータンブラー、    １２…本体部、    １００…蓋ユニット、
１０２…蓋基盤部、    １１０…蓋プレート、    １１２…栓部材、
１１４…軸受、    １２０…レバー部材、    １２２…軸部材、
１２４…スライド部、    １３０…口穴、    １４０…蓋軸、
１５０…保持部材、    １８０…金属板、    １９０…磁石、
２００…爪部材、    ２１０…固定部材、    ２２０…弾性部材
【図１】
0005567370.tif 000002
【図２】
0005567370.tif 000003
【図３】
0005567370.tif 000004
【図４】
0005567370.tif 000005
【図５】
0005567370.tif 000006
【図６】
0005567370.tif 000007
【図７】
0005567370.tif 000008
【図８】
0005567370.tif 000009
【図９】
0005567370.tif 000010
【図１０】
0005567370.tif 000011
【図１１】
0005567370.tif 000012
【図１２】
0005567370.tif 000013
【図１３】
0005567370.tif 000014
【図１４】
0005567370.tif 000015
【図１５】
0005567370.tif 000016
【図１６】
0005567370.tif 000017
【図１７】
0005567370.tif 000018
【図１８】
0005567370.tif 000019
【図１９】
0005567370.tif 000020
【図２０】
0005567370.tif 000021